(57)【要約】【課題】高性能なＤＳＰ及び大容量のＲＡＭを必要とせずに高解像度の動画の録画・再生を行う。【解決手段】  サーバ２において、動画撮影及び無線通信が可能な携帯電話１が撮影した動画をＹＵＶ形式で受信する手順と、該受信した動画をエンコードする手順と、該エンコードされた動画をデコードする手順と、該デコードされた動画を前記携帯端末に送信する手順と、を備え、携帯電話１が、該デコードされた動画をサーバ２から受信し再生する。【選択図】図１
2011155570.tif 000002
【特許請求の範囲】
【請求項１】
動画撮影及び無線通信が可能な携帯端末が撮影した動画をＹＵＶ形式で受信する手順と、
該受信した動画をエンコードする手順と、
該エンコードされた動画をデコードする手順と、
該デコードされた動画を前記携帯端末に送信する手順と、
を備え、
前記携帯端末が、該デコードされた動画を受信し再生することを特徴とする、サーバを用いた動画エンコード・デコードの方法。
【請求項２】
前記デコードされた動画を前記携帯端末に送信する手順は、動画を撮影し、該動画をアップロードしてきた機器にのみデコードしたデータを送信することを特徴とする請求項１に記載のサーバを用いた動画エンコード・デコードの方法。
【請求項３】
前記デコードされた動画を前記携帯端末に送信する手順は、予め登録されたＭＡＣアドレスの機器にのみデコードしたデータを送信することを特徴とする請求項１に記載のサーバを用いた動画エンコード・デコードの方法。
【請求項４】
動画撮影及び無線通信が可能な携帯端末が撮影した動画をＹＵＶ形式で受信する処理と、
該受信した動画をエンコードする処理と、
該エンコードされた動画をデコードする処理と、
該デコードされた動画を前記携帯端末に送信する処理と、
をコンピュータに実行させ、
前記携帯端末が、該デコードされた動画を受信し再生することを特徴とする、サーバを用いた動画エンコード・デコードのプログラム。
【請求項５】
動画撮影の機構及び無線通信の機構を有する携帯端末と、該携帯端末との間で動画のデータを送受信するための無線通信を行う機構を有するサーバを用いた動画エンコード・デコードのシステムであって、
前記サーバは、
前記無線通信で前記携帯端末から受信したＹＵＶ形式の動画をエンコードするエンコーダと、
該エンコードされた動画をデコードするデコーダと、
を備え、
前記携帯端末は、該デコードされた動画を受信し再生することを特徴とするサーバを用いた動画エンコード・デコードのシステム。
【発明の詳細な説明】
【技術分野】
【０００１】
本発明は、携帯端末で撮影した動画を無線ＬＡＮ通信によってサーバにアップロードし、サーバでエンコードおよびデコードする、サーバを用いた動画エンコード・デコードの方法、そのプログラム及びそのシステムに関する。
【背景技術】
【０００２】
近年、携帯端末での動画撮影が一般的になっている。しかし、特に携帯電話のような、ＲＡＭ(Random Access Memory)容量やＤＳＰ(Digital Signal Processor)の性能が制約される機器では、一般にＨＤ (High Definition)と定義される高解像度の動画を、高いフレームレートで撮影するのは性能的に困難である。
【０００３】
他方、無線通信の通信速度は飛躍的に向上し続けており、一例として、最新の無線ＬＡＮ規格(ＩＥＥＥ ８０２．１１ｎ)では、最大転送速度の理論値は３００Ｍｂｐｓである。
【０００４】
従来の動画撮影では、カメラで撮影した1フレーム毎の画像データを端末内部で例えばＭＰＥＧ−４のような形式にエンコード（符号化）することが一般的である。
【０００５】
しかし、動画の高解像度化が進むにつれ、エンコード・デコード時のバッファメモリ(ＲＡＭ)が大量に必要になることに加え、仮に大量のＲＡＭを確保できてもＤＳＰの処理性能が限界を超えてしまう。
【０００６】
携帯電話のような組み込み機器では一般にＲＡＭの増設はコスト観点から難しく、また、組み込み機器向けのＣＰＵ（Central Processing Unit）ではＨＤのような高解像度動画を高いフレームレートで録画・再生できるレベルまでＤＳＰの性能を向上させることは困難である。
【０００７】
そこで、特許文献１には、インターネットを利用した個人動画放送システムが開示されている。
【０００８】
特許文献２には、アップロードされた動画像データがエンコーダ用サーバで圧縮され、圧縮された動画像ファイルが携帯端末にダウンロードされる携帯端末用動画像転送システムが開示されている。
【０００９】
特許文献３には、イベントに参加したユーザ間でのみ、当該イベントに関連するコンテンツの共有を図るコンテンツ管理システムが開示されている。
【先行技術文献】
【特許文献】
【００１０】
【特許文献１】特開２００７−０４３６９５号公報
【特許文献２】特開２００８−２１９２２４号公報
【特許文献３】特開２００９−００９２０４号公報
【発明の概要】
【発明が解決しようとする課題】
【００１１】
しかしながら、特許文献１及び２に開示されている発明は、依然としてデコードには大容量のＲＡＭを要するという問題点があった。
【００１２】
特許文献３に開示されている発明は、単にイベントに参加したユーザ間でのみ、当該イベントに関連するコンテンツの共有を図るというものであり、携帯電話等のＲＡＭ等に制約のある機器で、高画質のコンテンツを再生するということには、特に注意が払われていないという問題点がある。
【００１３】
本発明は上記に鑑みてなされたもので、携帯端末等において、高性能なＤＳＰ及び大容量のＲＡＭを必要とせず、高解像度の動画の録画・再生が可能になるサーバを用いた動画エンコード・デコードの方法、そのプログラム及びそのシステムを提供することを目的とする。
【課題を解決するための手段】
【００１４】
上述の問題を解決するため、本発明に係るサーバを用いた動画エンコード・デコードの方法は、動画撮影及び無線通信が可能な携帯端末が撮影した動画をＹＵＶ形式で受信する手順と、該受信した動画をエンコードする手順と、該エンコードされた動画をデコードする手順と、該デコードされた動画を前記携帯端末に送信する手順と、を備え、前記携帯端末が、該デコードされた動画を受信し再生することを特徴とする。
【００１５】
上述の問題を解決するため、本発明に係るサーバを用いた動画エンコード・デコードのプログラムは、動画撮影及び無線通信が可能な携帯端末が撮影した動画をＹＵＶ形式で受信する処理と、該受信した動画をエンコードする処理と、該エンコードされた動画をデコードする処理と、該デコードされた動画を前記携帯端末に送信する処理と、をコンピュータに実行させ、前記携帯端末が、該デコードされた動画を受信し再生することを特徴とする。
【００１６】
上述の問題を解決するため、本発明に係るサーバを用いた動画エンコード・デコードのシステムは、動画撮影の機構及び無線通信の機構を有する携帯端末と、該携帯端末との間で動画のデータを送受信するための無線通信を行う機構を有するサーバを用いた動画エンコード・デコードのシステムであって、前記サーバは、前記無線通信で前記携帯端末から受信したＹＵＶ形式の動画をエンコードするエンコーダと、該エンコードされた動画をデコードするデコーダと、を備え、前記携帯端末は、該デコードされた動画を受信し再生することを特徴とする。
【発明の効果】
【００１７】
以上説明したように、本発明によれば、携帯端末のカメラで撮影した画像を、高速な無線通信を利用して、ＹＵＶ形式のままサーバにアップロードし、高負荷なエンコード処理をサーバで行うことにより、高解像度動画の高フレームレート録画を可能にする。また、再生時もデコード処理をサーバで行うことで、録画時のフレームレートを保った再生が可能になるサーバを用いた動画エンコード・デコードの方法、そのプログラム及びそのシステムを提供することができる。
【図面の簡単な説明】
【００１８】
【図１】本発明の実施の形態による動画エンコード・デコード方式に係るシステムでの動画のエンコードの概念図である。
【図２】本発明の実施の形態による動画エンコード・デコード方式に係るシステムでの動画再生の概念図である。
【発明を実施するための形態】
【００１９】
以下、図面を参照しながら、本発明の実施の形態について詳細に説明する。ここで、図１は、本発明の実施の形態による動画エンコード・デコード方式に係るシステムでの動画のエンコードの概念図である。
【００２０】
この図１に基づいて、携帯電話１、サーバ２からなる実施の形態について説明する。
【００２１】
本発明は携帯電話１の代替として、動画撮影機能と無線通信機能を持つ任意の携帯端末で実施可能である。
【００２２】
また、サーバ２で行われる動画のエンコード処理について、エンコード形式は、ＭＰＥＧ−１、ＭＰＥＧ−２、ＭＰＥＧ−４、Ｈ.２６４、ＤｉｖＸ、Ｘｖｉｄ、ＴｒｕｅＭｏｔｉｏｎ ＶＰ４、同ＶＰ６、同ＶＰ７、ＲｅａｌＶｉｄｅｏ又はＷＭＶ９等、任意の方式で実施可能である。
【００２３】
[本実施の形態の動作]
図１を参照しながら、携帯電話１で動画を撮影する場合の動作を示す。携帯電話１はカメラで撮影した1フレーム毎の画像（Ｃ形式）を、無線通信を通じてリアルタイムでサーバ２にアップロードする。
【００２４】
サーバ２はユーザが事前に設定した任意のエンコード方式で、アップロードされたカメラ画像をエンコードする。エンコードされた画像はサーバ２に保存される。
【００２５】
図２に携帯電話１でサーバ２に保存した動画を再生する場合の動作を示す。図２は、本発明の実施の形態による動画エンコード・デコード方式に係るシステムでの動画再生の概念図である。
【００２６】
サーバ２は、携帯電話１から動画再生要求を受信すると、保存時のエンコードに対応する方式で動画をデコードし、ＹＵＶ形式に戻された画像を1フレーム毎に携帯電話１に送信する。携帯電話１はサーバ２から受信したＹＵＶ形式のフレーム画像をＬＣＤ（液晶ディスプレイ）に表示する。
【００２７】
以上説明したように、本発明によれば、ＲＡＭやＣＰＵの性能が限られた携帯端末でも、高解像度の動画を高フレームレートで録画・再生できる。
【００２８】
また、携帯端末に動画データを保存する必要がないため、不揮発メモリ（ＮＡＮＤ型フラッシュメモリ等）が不要。
【００２９】
更には、携帯端末に動画データが存在しないため、動画データの不正な再生を制限できる。
【００３０】
[その他の実施の形態]
本発明は、携帯端末に限らず、動画を撮影する端末は、動画撮影機能と無線通信機能を持つ任意の機器で可能であるとしてもよい。この場合においても、動画のエンコード（デコード）は任意の方式で可能とする。
【００３１】
デコード時にサーバ側でフレーム補完等の処理を行うことにより、高速（低速）再生が可能となるようにしてもよい。
【００３２】
また、サーバに保存された動画は、サーバにアクセスできる任意の機器で再生可能であるとし、サーバは予め設定された機器（例えば特定のＭＡＣアドレスの機器や、動画撮影した機器）のみで動画再生できるよう制御することが可能であるとしてもよい。
【００３３】
本発明の上記の実施の形態によるシステムは、ハードウェアによっても実現することもできるが、コンピュータをその携帯機器として機能させるためのプログラムをコンピュータがコンピュータで読み取り可能な記録媒体から読み込んで実行することによっても実現することが出来る。
【００３４】
また、本発明の上記の実施の形態による方法は、ハードウェアによっても実現することもできるが、コンピュータにその方法を実行させるためのプログラムをコンピュータがコンピュータで読み取り可能な記録媒体から読み込んで実行することによっても実現することが出来る。
【産業上の利用可能性】
【００３５】
本発明は、携帯端末への動画のストリーミング再生等に用いることができる。
【符号の説明】
【００３６】
１  携帯電話
２  サーバ
【図１】
2011155570.tif 000003
【図２】
2011155570.tif 000004